(57)【特許請求の範囲】
【請求項１】
本体と前記本体から平行に延在している第１の突起及び第２の突起とを有するキャリアであって、前記第１の突起は第１の主表面及び対向する第２の主表面を有し、第２の突起は第３の主表面及び対向する第４の主表面を有するキャリアにおいて、前記第１の主表面及び前記第３の主表面が前記キャリアの同じ側にあり、前記第１の主表面上に少なくとも１つの固体照明要素を担持し、前記第４の主表面上に少なくとも１つの固体照明要素を担持しているキャリアと、
前記第２の主表面に熱的に結合される第１の部分と、前記第３の主表面に熱的に結合される第２の部分とを有する熱放散部材と、
を有する照明装置。
【請求項２】
それぞれの結合部材を介して、前記第１の部分は前記第２の主表面に結合され、前記第２の部分は前記第３の主表面に熱的に結合される、請求項１に記載の照明装置。
【請求項３】
前記キャリア上に少なくとも１つの駆動回路を更に有する、請求項１又は２に記載の照明装置。
【請求項４】
ハウジングと前記ハウジングに適合する射出窓とを更に有する、請求項１乃至３の何れか一項に記載の照明装置であって、
前記第１の突起及び前記第２の突起は、前記ハウジング及び前記射出窓を通って延在している前記照明装置の主軸と平行な方向に延在している、照明装置。
【請求項５】
前記熱放散部材は、
第１の熱放散部と、
前記第１の熱放散部に対向する第２の熱放散部と、
前記第１の部分及び前記第２の部分の少なくとも一部を有するブリッジング部材であって、前記第１の熱放散部を前記第２の熱放散部に接続しているブリッジング部材と、
を有する、請求項１乃至３の何れか一項に記載の照明装置。
【請求項６】
ハウジングと前記ハウジングに適合する射出窓とを更に有する、請求項１乃至３の何れか一項に記載の照明装置であって、
前記第１の突起及び前記第２の突起は、前記ハウジング及び前記射出窓を通って延在している前記照明装置の主軸と平行な方向に延在しており、前記第１の熱放散部及び前記第２の熱放散部は前記ハウジングの形状に整合している、請求項５に記載の照明装置。
【請求項７】
前記第１の部分は、前記ブリッジング部材から延在していると共に前記第２の主表面に熱的に結合されている第１の更なる突起を更に有し、
前記第２の部分は、前記ブリッジング部材から延在していると共に前記第３の主表面に熱的に結合されている第２の更なる突起を更に有する、
請求項５又は６に記載の照明装置。
【請求項８】
前記第１の主表面及び前記第４の主表面の少なくとも一方上に複数の固体照明要素を有する、請求項１乃至７の何れか一項に記載の照明装置。
【請求項９】
前記複数の固体照明要素は、前記第１の主表面及び前記第４の主表面にわたって分配されている、請求項８に記載の照明装置。
【請求項１０】
前記キャリアに取り付けられたリフレクタを更に有する、請求項１乃至９の何れか一項に記載の照明装置。
【請求項１１】
前記熱放散部材は金属の単一のシートから形成される、請求項１乃至１０の何れか一項に記載の照明装置。
【請求項１２】
前記金属はアルミニウムである、請求項１１に記載の照明装置。
【請求項１３】
前記照明装置は電球である、請求項１乃至１２の何れか一項に記載の照明装置。
【請求項１４】
前記少なくとも１つの固体照明要素は発光ダイオードである、請求項１乃至１３の何れか一項に記載の照明装置。
【請求項１５】
請求項１乃至１４の何れか一項に記載の照明装置を有する照明器具。
【発明の詳細な説明】
【技術分野】
【０００１】
本発明は、照明装置及びこのような照明装置を有する照明器具に関する。
【背景技術】
【０００２】
連続的に成長している人口により、地球温暖化現象の原因であるとみなされている温室効果ガス排出を防止するために炭素放出を制御するのと同様に、世界のエネルギのニーズを満たすことは、ますます困難になっている。これらの関心は、エネルギ消費を減少する試みにおけるより効果的なエネルギ消費に向かう動きを開始している。
【０００３】
このような領域の関心の１つは、家庭又は商業的な環境における照明アプリケーションである。エネルギ非効率的な白熱電球のよりエネルギ効率的な代替物との置換えに向かう明らかなトレンドが存在する。実際、多くの裁判管轄において白熱電球の製造及び小売は違法とされており、従って、例えば、白熱電球を置き換える場合、消費者にエネルギ効率的な代替物を購入させることを強制している。例えば、アメリカ政府は自身のEnergy Star(登録商標)プログラムを開始しており、当該プログラムは、例えば、小型蛍光灯及び固体照明（ＳＳＬ）装置（例えば、発光ダイオード（ＬＥＤ）ベースの電球）のような、白熱電球に対する承認された置換えのリストを含んでいる。
【０００４】
一般に、ＳＳＬ装置は、寿命及びエネルギ消費のような、自身のグリーン証明書のために特に有望な代替物を提供していると認識されている。ＳＳＬ装置は、白熱電球の光熱費のうちの僅かにおいて単位発光出力を生じることができる。しかしながら、上述したEnergy Star(登録商標)プログラムおいて認識されているように、ＳＳＬ要素に基づく照明装置の提供に関する商業的な挑戦は、当該装置を大きな消費者のボリュームにアクセス可能にする費用の点において、前記照明装置を製造することにある。このことは、決して些細でない課題である。電球のような典型的ＳＳＬベースの照明装置は、いくつか別個の構成要素を含んでおり、例えば、１つ以上の前記ＳＳＬ要素のためのキャリア、前記１つ以上のＳＳＬ要素駆動回路のためのキャリア、様々なキャリア上の前記電子的構成要素に有効な冷却を提供する熱放散部材、リフレクタ及びビーム成形光学部品等を含んでおり、前記照明装置を比較的複雑にし、従って高い費用がかかるものにしている。
【発明の概要】
【発明が解決しようとする課題】
【０００５】
これらの構成要素のいくつかを組み合わせることが技術的に率直であるにもかかわらず（例えば、前記ＳＳＬ要素及び前記駆動回路の両方を担持しているプリント回路基板のようなキャリア）、このような設計の選択における実行不可能な事は、容易に克服されることができない。例えば、ＳＳＬ要素及び駆動回路の両方がこの上に組み合わせられているキャリアからの熱流束は、この熱が熱放散部材（例えばヒート・シンク）によって効果的に拡散されることができないようなものであり、従って前記照明装置の過熱を生じる。このために、このことがその製造費用を増大させるという事実にもかかわらず、別個のキャリアが、前記照明装置内の熱生成を非局在化するのに一般的に使用されている。
【０００６】
米国特許出願公開第２０１２／０２６８９３６号は、可撓性の回路基板のそれぞれの領域上の複数のヒートシンク領域を有する照明要素と、前記可撓性の回路基板のそれぞれの領域上の複数の発光体とを開示している。しかしながら、これは費用効果的な方法で製造されることができない複雑な装置である。
【０００７】
本発明は、より費用効果的な態様で製造されることができる照明装置を提供することにある。
【０００８】
本発明は、更に、このような照明装置を含む照明器具を提供しようとするものである。
【課題を解決するための手段】
【０００９】
本発明の見地によれば、本体と前記本体から平行に延在している第１の突起及び第２の突起を有するキャリアであって、前記第１の突起は第１の主表面及び対向する第２の主表面を有し、前記第２の突起は第３の主表面及び対向する第４の主表面を有しているキャリアにおいて、前記第１の主表面及び前記第３の主表面は前記キャリアの同じ側にあり、前記第１の主表面及び前記第４の主表面の少なくとも一方における少なくとも１つの固体照明要素を担持しているキャリアと、前記第２の主表面に熱的に結合される第１の部分と前記第３の主表面に対する熱的に結合される第２の部分とを有する熱放散部材とを有する照明装置が提供される。
【００１０】
このような照明装置は、前記１つ以上のＳＳＬ要素（例えばＬＥＤ）が取り付けられている単一のキャリアの存在からの利益を享受し、これにより前記照明装置の費用を低減させるのと同時に、前記熱放散部材が、如何なる構成要素も担持しないか又は少なくともＳＳＬ要素を担持していない前記キャリアの複数の表面に熱的に結合されるという事実のために前記１つ以上のＳＳＬ要素により生成される熱の効果的な放散を提供する。好ましくは、前記少なくとも１つの駆動回路も前記キャリアに取り付けられ、これにより前記照明装置の複雑さ及び費用を更に低減する。
【００１１】
一実施例において、それぞれ結合部材を介して、前記第１の部分は前記第２の主表面に結合され、前記第２の部分は前記第３の主表面に熱的に結合される。このような結合部材（例えば、ＰＴＦＥ又はシリコーンゲル結合部材）は、前記キャリアを前記熱放散部材に確実に適合させるのと同時に、前記キャリアと前記熱放散部材との間の電気的絶縁を提供する。
【００１２】
添付請求項の照明装置は、ハウジングと、前記ハウジングに適合する射出窓とを更に有することができ、前記第１の及び第２の突起は前記照明装置の主軸と平行な方向に延在し、前記主軸が前記ハウジング及び前記射出窓を通って延在する。
【００１３】
即ち、この好ましい実施例において、前記キャリア（例えばプリント回路基板）は前記照明装置内で垂直に取り付けられ、これは前記照明装置の前記キャリアを組み込む面積効率的な態様である。
【００１４】
一実施例において、前記熱放散部材は、第１の熱放散部と、前記第１の熱放散部に対向する第２の熱放散部と、前記第１の部分及び前記第２の部分の少なくとも一部を有しているブリッジング部材であって、前記第１の熱放散部を前記第２の熱放散部に接続する前記ブリッジング部材とを有する。この実施例において、前記ブリッジング部材は、前記第１の熱放散部及び前記第２の熱放散部を前記キャリアの対応する突起に熱的に結合し、この結果、前記１つ以上のＳＳＬ要素及び駆動回路により生成される熱を効果的に放散させることができる広域の熱放散部材が提供される。
【００１５】
前記第１の熱放散部及び第２の熱放散部の形状は、前記ハウジングの熱放散部材の良好な適合を確実にするために、前記ハウジングの形状に整合していても良い。
【００１６】
一実施例において、前記第１の部分は、更に、前記ブリッジング部材から延在すると共に、前記第２の主表面に熱的に結合されている第１の更なる突起と、前記ブリッジング部材から延在すると共に、前記第３の主表面に熱的に結合されている第２の更なる突起とを有する。このことは、前記キャリアから前記熱放散部材までの特に良好な熱伝達を保証する。
【００１７】
前記照明装置は、好ましくは、前記第１の主表面及び前記第４の主表面のうちの少なくとも一方上の複数の固体照明要素を有する。前記固体照明要素は、好ましくは、前記照明装置の発光出力の分布を増大させるために前記第１の主表面及び前記第４の主表面の両方にわたって分配される。この実施例において、Energy Star（登録商標）に適合する照明装置は、特に前記照明装置が発光分布を更に増大させるための、即ちより指向的でない光分布を生成するためのリフレクタを有する場合、製造されることができることが分かっている。このようなリフレクタは、例えば、前記キャリア上に取り付けられることが可能である。
【００１８】
前記熱放散部材は、好ましくは、低コストの熱放散部材を提供するための金属の単一のシートから形成される。アルミニウムは、安価であり容易に適応可能であるので、前記金属として特に好ましい。
【００１９】
前記照明装置は、電球であっても良い。
【００２０】
本発明の他の見地によれば、本発明の一実施例による照明装置を有する照明器具が提供される。このような照明器具は、例えば前記照明装置のホルダ又は照明装置が組み込まれる装置であっても良い。
【図面の簡単な説明】
【００２１】
【図１】本発明の一実施例による照明装置の見地を模式的に示している。
【図２】本発明の一実施例による照明装置の他の見地を模式的に示している。
【図３】本発明の一実施例による照明装置の更に他の見地を模式的に示している。
【図４】本発明の一実施例による照明装置の更に他の見地を模式的に示している。
【図５】本発明の一実施例による照明装置の一部をアセンブルする方法を模式的に示している。
【図６】本発明の一実施例による照明装置を模式的に示している。
【発明を実施するための形態】
【００２２】
本発明の実施例は、更に詳細に記載され添付の図面を参照して非限定的な実施例として更に詳細に記載される。
【００２３】
これらの図は、単に模式的なものであり縮尺で描かれているわけではないことを理解されたい。同じ符号は、同じ又は類似の部分を示すように当該図の全体にわたって使用されていることも理解されたい。
【００２４】
図１及び図２は、本発明の照明装置の一部を形成するキャリア１０の側面図及び上面図をそれぞれ模式的に示している。キャリア１０は、プリント回路基板であっても良く、本体１２を有している。第１の突起１４及び第２の突起１６は、本体１０から平行に延在しており、これにより、本体１０、第１の突起１４及び第２の突起１６によって、区切られている凹部１８を形成している。即ち、第１の突起１４及び第２の突起１６は、本体１２の平面内で本体１２から延在している。誤解を避けるために強調すると、図１に示されている点線ボックスは、単にキャリア１０の様々な部分を識別子するためのものであり、キャリア１０をどうにか区切るものとして解釈されるべきではない。
【００２５】
第１の突起１４は、１つ以上のＳＳＬ要素２０が何らかの適切な方法で（例えば、ハンダ付けによって）取り付けられることが可能である第１の主表面１４２を有する。図１において、３つのＳＳＬ要素２０は、単に非限定的な実施例として示されており、第１の主表面１４２が任意の適切な数のＳＳＬ要素２０（例えば１つ以上のＳＳＬ要素２０）を担持することができることを理解すべきである。第１の突起１４は、後に更に詳細に説明されるように、キャリア１０を熱放散部材３０の第１の部分に熱的に結合するために第１の主表面１４２に対向する第２の主表面１４４を有する。熱放散部材３０は、明確さのためにだけに図１において示されていないことに留意されたい。
【００２６】
第２の突起１６は、１つ以上のＳＳＬ要素２０が取り付けられることが可能である第４の主表面１６４を有する。第４の主表面１６４は、任意の適切な数のＳＳＬ要素２０を担持することができ、例えば、１つ以上のＳＳＬ要素２０を担持する又はＳＳＬ要素２０を全く担持しないこともできるが、後者が好まれないことを理解されたい。第２の突起１６は、後に更に詳細に説明されるように、キャリア１０を熱放散部材３０の第２の部分に熱的に結合するために第４の主表面１６４に対向する第３の主表面１６２を更に有する。第１の主表面１４２及び第３の主表面１６２は、キャリア１０の同じ側にある。第２の主表面１４４及び第４の主表面は、キャリア１０に対向している。
【００２７】
前記照明装置は、熱放散部材３０をキャリア１０に固定するために、第２の主表面１４４と熱放散部材３０との間の第１の結合部材４０及び前記第３の主表面１６２と熱放散部材３０との間の第２の結合部材４０を有する。結合部材４０は、好ましくは、熱放散部材３０をキャリア１０から電気的に絶縁するための電気的絶縁材料である。結合部材４０は、熱放散部材３０とキャリア１０との間の充分な熱結合を確立するために、良好な熱伝導特性を有さなければならない。適切な電気的絶縁材料の非限定的な例は、ポリテトラフルオロエチレン（ＰＴＦＥ）及びシリコーンゲルを含む。
【００２８】
一実施例において、キャリア１０は、ＳＳＬ要素２０を駆動するための少なくとも１つの駆動回路２２を更に有する。少なくとも１つの駆動回路２２は、キャリア１０の如何なる適切な部分にも配されることができる。図１において、駆動回路２２は、単に非限定的な実施例としてキャリア１０の本体１２上に示されている。代替的には、駆動回路２２は、第１の主表面１４２上に又は第４の主表面１６４上に配されることができる。複数の駆動回路２２がキャリア１０上に設けられても良い。例えば、更なる駆動回路が、本体１２の他方の側に位置されても良い。しかしながら、少なくとも１つの駆動回路２２がキャリア１０上に取り付けられることが必須であるわけではないと理解されなければならない。代わりに、少なくとも１つの駆動回路２２は、別個のキャリア（図示略）上に設けられることもでき、この場合、キャリア１０が少なくとも１つの駆動回路２２をＳＳＬ要素２０に接続するための配線及び端子を含む。
【００２９】
図２に見られるように、熱放散部材３０は熱放散部材３０の第１の部分が第１の突起１４の第２の主表面１４４に熱的に結合され、かつ、熱放散部材３０の第２の部分が第２の突起１６の第３の主表面１６２に熱的に結合されるように、捻れている構造を有する。本発明の状況において、「熱的に結合される」なる語は、互いに直接的又は間接的に物理的な接触状態にある２つの物体を意味するものと解釈されなければならず、例えば、熱伝導体を介して互いに結合される、又は熱がキャリア１０から熱放散部材３０へ効果的に伝達されることを可能にするように互いに十分に近く近傍に位置されていることを意味する。
【００３０】
図３は、本発明の照明装置における使用のために熱放散部材３０の非限定的な実施例の斜視図を模式的に示しており、図４は、この上面図を模式的に示している。熱放散部材３０は、第１の部分３２及び第１の部分３２に対して軸方向に変位されている第２の部分３３の少なくとも一部を含むブリッジング部材３００を有し、即ち、ブリッジング部材３００は、ステップの形状を有し、中間部分３１が第１の部分３２の少なくとも一部を第２の部分３３の少なくとも一部に相互接続すると共に、前記ステップ状の形状を得るように第２の部分３３に対して軸方向に第１の部分３２を変位させている。中間部分３１は、典型的にはキャリア１０の凹部１８内に位置されると共に、キャリア１０の本体１２の上部に載っている。図３及び４において、中間部分３１は、単に非限定的な実施例として湾曲した形状を有するように示されている。中間部分３１は、ブリッジング部材３００の当該ステップ状のプロファイルを達成することができる如何なる適切な形状も有することができ、例えば、ｚ字状等の形状を有することができる。
【００３１】
第１の部分３２は、第１の突起１４の第２の主表面１４４に熱的に結合され、キャリア１０のこの部分のためのヒートシンクとして作用する。第２の部分３３は、第２の突起１６の第３の主表面１６２に熱的に結合され、キャリア１０のこの部分のためのヒートシンクとして作用する。即ち、第１の突起１４の第１の主表面１４２上のＳＳＬ要素２０により生成される熱は、第２の主表面１４４を介して第１の部分３２に伝達され、第２の突起１６の第２の主表面１６４上のＳＳＬ要素２０により生成される熱は、第１の主表面１６２を介して第２の部分３３に伝達される。
【００３２】
熱放散部材３０は、更に、第１の部分３２により収集される熱を主として放散させるためのブリッジング部材３００の第１の部分３２に接続されている第１の熱放散部３４と、第２の部分３３により収集される熱を主として放散させるためのブリッジング部材３００の第２の部分３３に接続されている第２の熱放散部３６とを有する。第１の熱放散部３４及び第２の熱放散部３６は如何なる適切な形状を有していても良いが、後に更に詳細に説明されるように、第１の熱放散部３４及び第２の熱放散部３６が当該照明装置のハウジングの形状に整合するのが好ましい。当業者により理解されるように、第１の熱放散部３４及び第２の熱放散部３６のそれぞれの領域は、好ましくは、第１の熱放散部３４及び第２の熱放散部３６による熱放散を最大化するように、できるだけ大きく作られる。
【００３３】
一実施例において、第１の部分３２は、ブリッジング部材３００から延在していると共に第１の突起１４の第２の主表面１４４に熱的に結合される第１の更なる突起３２０を更に有し、第２の部分３３は、更に、ブリッジング部材３００から延在していると共に、第２の突起１６の第３の主表面１６２に熱的に結合されている第２の更なる突起３３０を更に有する。
【００３４】
更なる突起３２０及び３３０は、熱放散部材３０とキャリア１０との間の熱結合を増大させる又は最大化することにさえ使用されることができ、これにより熱放散部材３０によるキャリア１０の効果的な冷却を保証する。このために、好ましくは、１つ以上の駆動回路２２により生成される熱が、それぞれ第２の主表面１４４と第１の部分３２との間及び第３の主表面１６２と第２の部分３３との間の熱的結合を介して熱放散部材３０に効果的に伝達されることを保証するために、１つ以上の駆動回路２２は、第１の主表面１４２及び第４の主表面１６４の一方の上又は近くに位置されるのが好ましく、第１の部分３２は第１の更なる突起３２０を含むことができ、第２の部分３３は第２の更なる突起３３０を含むことができる。
【００３５】
熱放散部材３０は如何なる適切な態様においても製造されることができるが、好ましくは金属の単一のシートから製造され、例えば、金属の前記シートを所望の形状に切断する、折り畳む、曲げる及びさもなければ変形させることにより製造される。如何なる適切なシートの金属も使用されることができるが、アルミニウムが、この低コスト及び適応性のために特に適切である。
【００３６】
キャリア１０及び熱放散部材３０は、図５に示すように組み立てられることができる。ステップ（ａ）において、ブリッジング部材３００の第１の部分３２及び第２の部分３３がキャリア１０の第１の突起１４及び第２の突起１６にいくぶん垂直に配向されるように、ブリッジング部材３００の中間部分３１が凹部１８に挿入される。
【００３７】
ステップ（ｂ）で示される挿入プロセスの終了後、ブリッジング部材３００の中間部分３１がキャリア１０の本体１２上に載るようになるとき、熱放散部材３０はステップ（ｃ）に示されるアセンブリに到達するためにキャリア１０に対して捻られ、ブリッジング部材３００の第１の部分３２は、第１の突起１４の第２の主表面１４４に面すると共にこれに熱的に結合され、ブリッジング部材３００の第２の部分３３は、第２の突起１６の第３の主表面１６２に面すると共にこれに熱的に結合される。
【００３８】
図６は、本発明の一実施例による照明装置１００の分解されたモデルを模式的に示している。照明装置１００は、１つ以上の駆動回路２２がハウジング５０の伝導端子（図示略）に電気的に結合されるように、キャリア１０が嵌入されるハウジング５０を有する。熱放散部材３０は、上述で説明したようにキャリア１０に係合する。即ち、キャリア１０は、照明装置１００の対称主軸に位置を合わせられ、例えば、この主軸が垂直な配向にある場合、第１の突起１４及び第２の突起１６がこの主軸と平行な方向において延在するように、キャリア１０は照明装置１００内で垂直に配向される。
【００３９】
照明装置１００は、更に、射出窓６０を有し、射出窓６０は透明又は半透明であっても良く、如何なる適切な材料（例えばガラス又はプラスチック）でできていても良い。射出窓６０は、典型的には、照明装置１００の内部ボリュームがハウジング５０及び射出窓６０の内面によって、それぞれ区切られるように、ハウジング５０と係合する。
【００４０】
照明装置１００は、キャリア１０上の１つ以上のＳＳＬ要素２０（例えばＬＥＤ）の発光出力を成形するリフレクタ７０を更に有することができる。図６において、ＳＳＬ要素２０は、第１の突起１４の第１の主表面１４２にのみ可視的であるが、照明装置１００は、図６において可視的ではないものの、第２の突起１６の第４の主表面１６４上の１つ以上のＳＳＬ要素２０（例えばＬＥＤ）を更に有していても良いことを理解すべきである。リフレクタ７０は、照明装置１００内に如何なる適切な態様において取り付けられても良い。例えば、リフレクタ７０は、キャリア１０の突起１４、１６上に取り付けられることができる。一実施例において、リフレクタ７０は、Energy Star（登録商標）要件に適合する照明装置１００の発光出力分布を生成するように成形されるが、このような適合が達成されていない代替的な実施例も実行可能であることを理解されたい。
【００４１】
照明装置１００は、同じ色又は異なる色のＳＳＬ要素を有することができる。この文脈において、異なる色温度を有する白色光ＳＳＬ要素は、異なる有色のＳＳＬ要素２０とも考えられることが可能である。例えば、第１の主表面１４２上のＳＳＬ要素２０の色は、同じであっても良く又は互いに異なっていても良い。第４の主表面１６４上のＳＳＬ要素２０の色は、同じであっても良く又は互いに異なっていても良い。第１の主表面１４２上のＳＳＬ要素２０の色は、第４の主表面１６４上のＳＳＬ要素２０の色と、同じであっても良く又は異なっていても良い。
【００４２】
ハウジング５０内のキャリア１０及び熱放散部材３０により形成されるアセンブリの良好な適合を得るために、第１の熱放散部３４及び第２の熱放散部３６は、図６に示されているように、前記照明装置の前記ハウジングの形状に整合している。特に有利な実施例において、熱放散部材３０がハウジング５０内に鋳造されるように、プラスチックハウジング５０が鋳造される。特にＳＳＬ要素２０によって生成される熱がハウジング５０へ効果的に伝達され、ハウジング５０を囲んでいる空気によって、この熱の更なる放散が提供されるように、熱放散部材３０の第１の熱放散部３４及び前記第２の熱放散部３６はハウジング５０に熱的に結合される。好ましくは、熱放散部材３０の第１の熱放散部３４及び第２の熱放散部３６は、ハウジング５０の内面と物理的に接触している。
【００４３】
本発明の実施例による照明装置１００は、前記照明装置のホルダ（例えば、天井照明取付部品）又は照明装置が組み込まれる装置（例えばレンジフード等）のような照明器具内に有利に含まれることができる。上述の実施例は、本発明を制限するというよりは、むしろ説明しているものであり、当業者であれば、添付請求項の要旨を逸脱することなく多くの代替的な実施例を設計することができることに留意されたい。前記請求項において括弧内に配されている如何なる符号も、前記請求項を制限するものとして解釈されてはならない。「有する」なる語は、要素の存在又は添付請求項に記載されていない要素又はステップの存在を排除するものではない。単数形の構成要素は、複数のこのような構成要素を排除するものではない。本発明は、幾つかの別個の要素を有するハードウェアによって実施化されても良い。幾つかの手段を列挙している装置の請求項において、これらの手段の幾つかは、ハードウェアの全く同一の項目により実施されることができる。特定の手段が相互に異なる従属請求項において引用されているという単なる事実は、これらの手段の組み合わせが有利になるように使用されることができないと示すものではない。
【図１】
0006433979.tif 000002
【図２】
0006433979.tif 000003
【図３】
0006433979.tif 000004
【図４】
0006433979.tif 000005
【図５】
0006433979.tif 000006
【図６】
0006433979.tif 000007